(57)【要約】      （修正有）【課題】安全、かつ簡便にカラスによる食害を防ぐことができるカラスおどし具を提供する。【解決手段】胴体部１０、胴体部１０に取り付けた頸部１１、頸部１１に連なった頭部１２、頭部１２に取り付けた嘴部１３、胴体部１０に連なった尾羽部１４、および胴体部１０を支えるスタンド部材１５から、カワウを模したカラスおどし具１を構成する。この構成によれば、カワウを警戒したカラスが寄り付かなく食害を防ぐことができる。【選択図】図１
0003179859.tif 000002
【実用新案登録請求の範囲】
【請求項１】
胴体部と、
この胴体部に連ねられた頸部と、
この頸部に連ねられた頭部と、
この頭部に連ねられた嘴部と、
前記胴体部に連ねられた尾羽部と、
から構成された、
ことを特徴とするカラスおどし具。
【請求項２】
前記胴体部、前記頸部、前記頭部、上側の前記嘴部、および前記尾羽部が黒色、下側の前記嘴部が灰色、前記嘴部の口角の近傍である頬部が黄色、この頬部近傍の前記頸部の一部が白色である、
ことを特徴とする請求項１に記載のカラスおどし具。
【請求項３】
カワウを模した、
ことを特徴とする請求項１または請求項２に記載のカラスおどし具。
【請求項４】
カワウの剥製である、
ことを特徴とする請求項１から請求項３のいずれか１項に記載のカラスおどし具。
【考案の詳細な説明】
【技術分野】
【０００１】
本考案は、カラスを寄せ付けないためのカラスおどし具に関するものである。
【背景技術】
【０００２】
従来、例えば鳥類や昆虫類などによる鳥害や虫害を防ぐために、これらを駆除するための様々な方法が提案されている。
【考案の概要】
【考案が解決しようとする課題】
【０００３】
特にカラスによる食害は、例えば自治体、家畜飼養農家、果樹園などで多くみられる。カラスを駆除する方法は、銃器による駆除、檻への捕獲などがあるが、人家付近での銃器による駆除は危険であり、一方、設置場所が限られる檻は不便である。
【０００４】
本考案は、上記の実情に鑑みて提案されたものである。すなわち、安全、かつ簡便にカラスによる食害を防ぐことができるカラスおどし具の提供を目的とする。
【課題を解決するための手段】
【０００５】
上記目的を達成するために、本考案に係るカラスおどし具は、胴体部と、この胴体部に連ねられた頸部と、この頸部に連ねられた頭部と、この頭部に連ねられた嘴部と、前記胴体部に連ねられた尾羽部と、から構成された、ことを特徴としている。
【０００６】
本考案に係るカラスおどし具は、前記胴体部、前記頸部、前記頭部、上側の前記嘴部、および前記尾羽部が黒色、下側の前記嘴部が灰色、前記嘴部の口角の近傍である頬部が黄色、この頬部近傍の前記頸部の一部が白色である、ことを特徴としている。
【０００７】
本考案に係るカラスおどし具は、カワウを模した、ことを特徴としている。
【０００８】
本考案に係るカラスおどし具は、カワウの剥製である、ことを特徴としている。
【考案の効果】
【０００９】
本考案に係るカラスおどし具は上記の構成である。この構成によれば、カワウを警戒したカラスが寄り付かない。したがって、カラスによる食害を防ぐことができる。
【図面の簡単な説明】
【００１０】
【図１】本考案の第１実施形態に係るカラスおどし具の外観斜視図である。
【図２】本考案の第２実施形態に係るカラスおどし具の外観斜視図である。
【図３】本考案の実施例を説明する分解説明図である。
【考案を実施するための形態】
【００１１】
以下、本考案に係る実施形態を図面に基づいて説明する。図１には第１実施形態に係るカラスおどし具が示され、図２には第２実施形態に係るカラスおどし具が示されている。
【００１２】
図１において、第１実施形態に係るカラスおどし具１はカワウを模して形成され、胴体部１０、胴体部１０に取り付けられた頸部１１、頸部１１に連ねられた頭部１２、頭部１２に取り付けられた嘴部１３、胴体部１０に連ねられた尾羽部１４、および胴体部１０を支えるスタンド部材１５、から構成されている。カラスおどし具１は各部が例えば発泡スチロール製、木製などであり、部品ごとに形成され、組み立てられる。なお、一体成型、彫刻でもよい。
【００１３】
胴体部１０は背中部１６が略平坦であり、胸部１７が膨らんでいる。胴体部１０は胸部１７から尾筒１８にかけて徐々に細くなり、尾筒１８に尾羽部１４が連ねられている。頸部１１は略棒状であり、胴体部１０の背中部１６側に取り付けられ、先端に頭部１２が連ねられている。頭部１２は丸みを帯びており、嘴部１３が取り付けられている。頭部１２は嘴部１３の付け根が頬部１９である。嘴部１３は頸部１１よりも小さい略棒状である。スタンド部材１５は胴体部１０の上腹部２０に取り付けられている。
【００１４】
胴部１０の背中部１６側には頸部１１が連結される取付溝Ｂが形成されている。頸部１１の下端には取付溝Ｂに取り付けられる取付代ｂが形成されている。頭部１２には嘴部１３が取り付けられる取付溝Ｃが形成されている。嘴部１３の付け根側には取付代ｃが形成されている（図３参照）。
【００１５】
カラスおどし具１は、ほぼ全身が黒色、下側の嘴部１３が灰色、頬部１９が黄色、頬部１９から頸部１１の一部までが白色である（図１中の符号Ａ）。
【００１６】
図２において、第２実施形態に係るカラスおどし具２はカワウの剥製である。
【００１７】
以上が各実施形態に係るカラスおどし具の説明である。
【００１８】
次に、各実施形態の効果を説明する。
【００１９】
上記したように第１実施形態によれば、カラスおどし具１はカワウを模して形成され、胴体部１０、胴体部１０に取り付けられた頸部１１、頸部１１に連ねられた頭部１２、頭部１２に取り付けられた嘴部１３、胴体部１０に連ねられた尾羽部１４、および胴体部１０を支えるスタンド部材１５、から構成されている。この構成によれば、カワウを警戒したカラスが寄り付かない。したがって、カラスによる食害を防ぐことができる。
【００２０】
第１実施形態によれば、カラスおどし具１は、ほぼ全身が黒色、下側の嘴部１３が灰色、頬部１９が黄色、頬部１９から頸部１１の一部までが白色である（図１中の符号Ａ）。この構成によれば、カラスおどし具１はカワウに酷似するためカラスにカワウと認識させやすく、カワウを警戒したカラスが寄り付かない。したがって、カラスによる食害を防ぐことができる。
【００２１】
第２実施形態によれば、カラスおどし具２はカワウの剥製である。この構成によれば、カラスおどし具２はカワウの外観そのものであるため、カワウと認識して警戒したカラスが寄り付かない。したがって、カラスによる食害を防ぐことができる。
【００２２】
次に、本考案の実施例を図３に基づいて説明する。図３にはカラスおどし具の分解図が示されている。
【００２３】
＜実施例＞
カラスおどし具１は、全長が４９０ｍｍ、高さ（スタンド部材１５を除く）が２２０ｍｍである。胴体部１０は、全長が３４０ｍｍ、幅が１７０ｍｍ、厚みが１００ｍｍである。尾筒１８は、長さが６０ｍｍ、幅が８０ｍｍ、厚みが４５ｍｍである。尾羽部１４は、尾筒１８側の幅が８０ｍｍ、先端側の幅が１１０ｍｍ、尾筒１８側の厚みが４５ｍｍ、先端側の厚みが２０ｍｍである。
【００２４】
頸部１１は、長さが２１０ｍｍ（取付代ｂが５ｍｍ）、首回りの直径が５０ｍｍである。嘴部１３は、長さが１０５ｍｍ（取付代ｃが２５ｍｍ）、付け根の直径が２８ｍｍである。スタンド部材１５は直径が９ｍｍである。
【００２５】
カラスおどし具１は、胴体部１０、頸部１１、頭部１２、上側の嘴部１３、および尾羽部１４が黒色、下側の嘴部１３が灰色、頬部１９が黄色、頬部１９から頸部１１の一部までが白色である（図１中の符号Ａ）。
【００２６】
カラスおどし具１は、嘴部１３が木製、他の各部１０、１１、１２、１４が発泡スチロール製である。
【００２７】
なお、カラスおどし具１、２を約３か月間某所に設置した結果、カラスが半径１００ｍ以内に近づかなくなった。同様に、カラスおどし具１、２をイノシシの肉の近辺に設置した場合であってもカラスが近づかなくなった。
【００２８】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００２９】
１、２              カラスおどし具
１０                胴体部
１１                頸部
１２                頭部
１３                嘴部
１４                尾羽部
１５                スタンド部材
１６                背中部
１７                胸部
１８                尾筒
１９                頬部
２０                上腹部
Ａ                  頸部の一部
Ｂ、Ｃ              取付溝
ｂ、ｃ              取付代
【図１】
0003179859.tif 000003
【図２】
0003179859.tif 000004
【図３】
0003179859.tif 000005